(57)【要約】【課題】  本願発明は、簡単に装着可能であると共に、しっかりと固定できる構造を有する配管吊り具を提供する。【解決手段】  本願発明は、配管設置空間を形成する壁の一部から延出する吊りボルト２に配管５を固定するための配管吊り具１において、前記吊りボルト２に固定される吊下部３と、該吊下部３に固定され、前記配管５の外周側面に沿って延出して前記配管４を保持し、その両側端部４２、４３に噛合機構を有する配管保持バンド４と、前記配管保持バンド４の両端が噛合した状態で噛合機構をロックするロック手段６を具備したことにある。【選択図】      図１
2014234892.tif 000002
【特許請求の範囲】
【請求項１】
配管設置空間を形成する壁の一部から延出する吊りボルトに配管を固定するための配管吊り具において、
前記吊りボルトに固定される吊下部と、
該吊下部に固定され、前記配管の外周側面に沿って延出して前記配管を保持し、その両側端部に噛合機構を有する配管保持バンドと、
前記配管保持バンドの両端が噛合した状態で噛合機構をロックするロック手段を具備したことを特徴とする配管吊り具。
【請求項２】
前記吊下部は、前記吊りボルトに固定される固定片と、該固定片から屈曲して下方に延出する固着片と、該固着片から装着される配管の外周側面に沿って所定の範囲で延出する保持片とによって構成されると共に、前記配管保持バンドは、前記保持片に固定される固定部と、該固定部から一方方向に所定の範囲で延出する一端部と、該固定部から一方方向に対向する他方方向に前記配管の外周側面に沿って延出して、前記配管を保持する他端部とによって構成され、前記他端部の先端は、前記固着片に接合するように外方に折り曲げられた接合部を有し、前記ロック手段は、前記固着片に移動可能に装着された保持輪であり、前記固着片に前記接合部と装着した後に、前記保持輪を移動させて、該保持輪によって固着片及び接合部を一体に固定することを特徴とする請求項１記載の配管吊り具。
【請求項３】
前記噛合機構は、前記一端部に形成される噛合突部と、前記他端部の接合部に至る部分に形成され、前記噛合突部が噛合する噛合穴とによって構成されることを特徴とする請求項２記載の配管吊り具。
【請求項４】
前記吊下部は、前記吊りボルトに固定される固定片と、該固定片から屈曲して下方に延出する固着片と、該固着片から装着される配管の外周側面に沿って所定の範囲で延出する保持片とによって構成されると共に、前記配管保持バンドは、前記保持片に固定される固定部と、該固定部から前記配管の外周側面に沿って延出して、前記配管を保持する配管保持部とによって構成され、前記配管保持部の先端は、前記固着片に接合するように外方に折り曲げられた接合部を有し、前記ロック手段は、前記固着片に移動可能に装着された保持輪であり、前記固着片に前記接合部と装着した後に、前記保持輪を移動させて、該保持輪によって固着片及び接合部を一体に固定することを特徴とする請求項１記載の配管吊り具。
【請求項５】
前記噛合機構は、前記一端部に形成される噛合突部と、前記他端部の接合部に至る部分に形成され、前記噛合突部が噛合する噛合穴とによって構成されることを特徴とする請求項４記載の配管吊り具。
【請求項６】
前記固着片には、前記接合部の先端を保持するために保持突起が形成されることを特徴とする請求項２〜５のいずれか１つに記載の配管吊り具。
【請求項７】
前記吊下部は、前記吊りボルトに固定される固定片によって構成されると共に、前記配管保持バンドは、前記固定片に固定される固定部と、該固定部から一方方向に所定の範囲で延出する一端部と、該固定部から一方方向に対向する他方方向に前記配管の外周側面に沿って延出して、前記配管を保持する他端部とによって構成され、前記一端部は、先端が折り曲げられて形成された装着段部を具備すると共に、前記他端部が、前記装着段部に噛合する噛合段部を具備し、前記ロック手段は、前記装着段部に移動可能に装着された保持輪であり、前記噛合段部を装着段部に噛合させた後、前記保持輪を移動させて前記一端部及び前記他端部の先端を一体に固定させることを特徴とする請求項１記載の配管吊り具。
【請求項８】
前記他端部の噛合段部には噛合ピンが形成され、前記装着段部には前記噛合ピンが貫通する貫通孔が形成され、前記保持輪には、前記噛合ピンが噛合する装着凹部が形成されることを特徴とする請求項７記載の配管吊り具。
【発明の詳細な説明】
【技術分野】
【０００１】
本願発明は、天井スラブから延出する吊りボルトに配管パイプを吊り下げ固定するための配管吊り具に関する。
【背景技術】
【０００２】
特許文献１（特開２０００−９７３７４号公報）は、ボルトナットを使用することなく配管を行えるように配管吊りバンドを改良したもので、配管吊りバンドに吊り持ち部を一体に形成するとともに一方の湾曲バンド片の立ち上がり片の先端から下向き傾斜の係止舌片を突出して、その幅狭の連結頸部と先端側の係止孔を、吊り持ち部の垂下片に形成した舌片受入孔の係止段部と係止突部に弾発的に係止するようにし、湾曲バンド片を閉めることによって配管パイプの支持を可能とするものである。
【０００３】
特許文献２（特開２００２−３６４７８１号公報）は、スラブに吊り下げされた釣りボルトの下端に装着された配管を吊り下げる配管吊り具であり、上部が吊りボルトに支持されるとともに下部に貫通孔を有するバックルと、前記配管の外周に巻き付けられて、前記貫通孔に通された一方側が他方側に結合されて閉鎖状ループを形成する樹脂製の可撓性帯体とを備える配管吊り具を開示する。
【先行技術文献】
【特許文献】
【０００４】
【特許文献１】特開２０００−９７３７４号公報
【特許文献２】特開２００２−３６４７８１号公報
【発明の概要】
【発明が解決しようとする課題】
【０００５】
上述した特許文献１に開示される吊りバンドは、係止舌片を舌片受入孔に挿入し、係止孔を係止突部に引っ掛けて、他方の湾曲バンド片を一方の湾曲バンド片に係止し、配管を固定するようにしたものであるが、湾曲バンド片は開く方向に負荷が係ることから、小片である係止突部には負荷が係りすぎるため、配管の振動や配管に係る付勢力によって係止突部が破損する恐れがある。
【０００６】
また、上述した特許文献２に開示される配管吊り具は、スラブに吊り下げられた吊りボルトの下端に設けられたバックルに、可撓性帯体によって配管を吊下するようにしたものであるから、配管振動による騒音の対策にはなるものの、配管が宙ぶらりんの状態となっているため、地震等があった場合には、配管が動いて壁面等に当たって破損する恐れがある。また、樹脂製の可撓性帯体については、経年劣化が早いため、配管吊り具の寿命が短いという問題がある。
【０００７】
以上のことから、本願発明は、簡単に装着可能であると共に、しっかりと固定できる構造を有する配管吊り具を提供することにある。
【課題を解決するための手段】
【０００８】
したがって、本願発明は、配管設置空間を形成する壁の一部から延出する吊りボルトに配管を固定するための配管吊り具において、前記吊りボルトに固定される吊下部と、該吊下部に固定され、前記配管の外周側面に沿って延出して前記配管を保持し、その両側端部に噛合機構を有する配管保持バンドと、前記配管保持バンドの両端が噛合した状態で噛合機構をロックするロック手段を具備したことにある。
【０００９】
また、前記吊下部は、前記吊りボルトに固定される固定片と、該固定片から屈曲して下方に延出する固着片と、該固着片から装着される配管の外周側面に沿って所定の範囲で延出する保持片とによって構成されると共に、前記配管保持バンドは、前記保持片に固定される固定部と、該固定部から一方方向に所定の範囲で延出する一端部と、該固定部から一方方向に対向する他方方向に前記配管の外周側面に沿って延出して、前記配管を保持する他端部とによって構成され、前記他端部の先端は、前記固着片に接合するように外方に折り曲げられた接合部を有し、前記ロック手段は、前記固着片に移動可能に装着された保持輪であり、前記固着片に前記接合部と装着した後に、前記保持輪を移動させて、該保持輪によって固着片及び接合部を一体に固定することが望ましい。
【００１０】
これによって、前記吊りボルトに吊下部の固定片を固定すると共に、前記配管保持バンドを配管の外周側面に沿って配置すると共に他端部の先端に形成された接合部を、吊下部の固着片に接触させて保持輪によって固定できるため、配管保持バンドの装着固定が容易であると共に、保持輪によって配管保持バンドの両端を確実に固定できるものである。
【００１１】
さらに、前記一端部には噛合突部が形成され、前記他端部の接合部に至る部分には、前記噛合突部が噛合する噛合穴が形成されることが望ましい。
【００１２】
これによって、配管保持ベルトの両端の仮止めを行うことができるため、保持輪の装着作業を容易に行うことができるものである。
【００１３】
また、前記吊下部は、前記吊りボルトに固定される固定片と、該固定片から屈曲して下方に延出する固着片と、該固着片から装着される配管の外周側面に沿って所定の範囲で延出する保持片とによって構成されると共に、前記配管保持バンドは、前記保持片に固定される固定部と、該固定部から前記配管の外周側面に沿って延出して、前記配管を保持する配管保持部とによって構成され、前記配管保持部の先端は、前記固着片に接合するように外方に折り曲げられた接合部を有し、前記ロック手段は、前記固着片に移動可能に装着された保持輪であり、前記固着片に前記接合部と装着した後に、前記保持輪を移動させて、該保持輪によって固着片及び接合部を一体に固定することが望ましい。
【００１４】
これによって、前記吊りボルトに吊下部の固定片を固定すると共に、前記配管保持バンドを配管の外周側面に沿って配置すると共に他端部の先端に形成された接合部を、吊下部の固着片に接触させて保持輪によって固定できるため、配管保持バンドの装着固定が容易であると共に、保持輪によって配管保持バンドの両端を確実に固定できるものである。
【００１５】
さらに、前記噛合機構は、前記一端部に形成される噛合突部と、前記他端部の接合部に至る部分に形成され、前記噛合突部が噛合する噛合穴とによって構成されることが望ましい。
【００１６】
さらにまた、前記固着片には、前記接合部の先端を保持するために保持突起が形成されることが望ましい。
【００１７】
また、前記吊下部は、前記吊りボルトに固定される固定片によって構成されると共に、前記配管保持バンドは、前記固定片に固定される固定部と、該固定部から一方方向に所定の範囲で延出する一端部と、該固定部から一方方向に対向する他方方向に前記配管の外周側面に沿って延出して、前記配管を保持する他端部とによって構成され、前記一端部は、先端が折り曲げられて形成された装着段部を具備すると共に、前記他端部が、前記装着段部に噛合する噛合段部を具備し、前記ロック手段は、前記装着段部に移動可能に装着された保持輪であり、前記噛合段部を装着段部に噛合させた後、前記保持輪を移動させて前記一端部及び前記他端部の先端を一体に固定させることが望ましい。
【００１８】
これによって、前記吊りボルトに吊下部の固定片を固定すると共に、前記配管保持バンドを配管の外周側面に沿って配置すると共に他端部の先端に形成された噛合段部を、一端部に形成された装着段部に噛合させると共に、保持輪によって固定できるため、配管保持バンドの装着固定が容易であると共に、保持輪によって配管保持バンドの両端を確実に固定できるものである。
【００１９】
さらに、前記他端部の噛合段部には噛合ピンが形成され、前記装着段部には前記噛合ピンが貫通する貫通孔が形成され、前記保持輪には、前記噛合ピンが噛合する装着凹部が形成されることが望ましい。
【発明の効果】
【００２０】
以上のように、本願発明によれば、スラブから吊下された吊りボルトに配管を簡単に且つ確実に、しっかりと固定できるために、配管の設置作業を効率よく確実に行うことができるものである。
【図面の簡単な説明】
【００２１】
【図１】本願発明の第１の実施例に係る配管吊り具を示した説明図である。
【図２】本願発明の第１の実施例に係る配管吊り具の装着する直前の状況を示した説明図である。
【図３】本願発明の第１の実施例に係る配管吊り具の装着した状態を示した説明図である。
【図４】本願発明の第２の実施例に係る配管吊り具を示した説明図である。
【図５】本願発明の第３の実施例に係る配管吊り具を示した説明図である。
【図６】本願発明の第３の実施例に係る配管吊り具の装着部分を示した一部拡大正面図である。
【図７】本願発明の第３の実施例に係る配管吊り具の装着部分を示した一部拡大側面図である。
【発明を実施するための形態】
【００２２】
本願発明は、配管設置空間を形成する壁の一部から延出する吊りボルトに配管を固定するための配管吊り具において、前記吊りボルトに固定される吊下部と、  該吊下部に固定され、前記配管の外周側面に沿って延出して前記配管を保持し、その両側端部に噛合機構を有する配管保持バンドと、前記配管保持バンドの両端が噛合した状態で噛合機構をロックするロック手段を具備したことを特徴とするものである。以下、この発明の実施例について図面により説明する。
【実施例１】
【００２３】
図１乃至図３で示される本願発明の実施例１に係る配管吊り具１は、図示しない天井スラブから延出する吊りボルト２に固定される吊下部３と、吊下部３に固定され、配管５の外周側面に沿って延出して前記配管５を保持する配管保持バンド４とによって構成される。
【００２４】
この配管吊り具１において、前記吊下部３は、前記吊りボルト２に、ナット２１によって固定される固定片３１と、該固定片３１から屈曲して下方に延出する固着片３２と、該固着片３２から装着される配管５の外周側面に沿って所定の範囲で延出する保持片３３とによって構成される共に、前記配管保持バンド４は、前記保持片３３に固定される固定部４１と、該固定部４１から一方方向に所定の範囲で延出する一端部４２と、該固定部４１から一方方向に対向する他方方向に前記配管４の外周側面に沿って延出して、前記配管５を保持する他端部４３とによって構成され、前記他端部４３の先端は、前記固着片３２に接合するように外方に折り曲げられた接合部４４を有し、前記ロック手段は、前記固着片３２に移動可能に装着された保持輪６であり、前記固着片３２に前記接合部４４と装着した後に、前記保持輪６を移動させて、該保持輪６によって固着片３２及び接合部４４を一体に固定するものである。これによって、配管５は配管保持バンド４を介して吊りボルト２に簡単に且つ確実に固定することができるものである。
【００２５】
さらに、前記噛合機構として、前記一端部４２には噛合突部４５が形成され、前記他端部４３の接合部４４に至る部分４７には、前記噛合突部４５が噛合する噛合穴４６が形成される。また、前記固着片３２には、前記接合部４４の先端を保持するために保持突起３４が形成される。これによって、接合部４４の先端を保持突起３４に当接させて固定すると同時に、前記噛合突部４５を噛合穴４６に挿入することによって、配管保持バンド４の両端、いわゆる固着片３２と接合部４４とを仮止めすることができ、保持輪６による固定を容易に行うことができるものである。
【実施例２】
【００２６】
本願発明の実施例２に係る配管吊り具１Ａは、例えば図４に示すものである。この配管吊り具１Ａにおいて、前記吊下部３Ａは、前記吊りボルト２に固定される固定片３１と、該固定片３１から屈曲して下方に延出する固着片３２と、該固着片３２から装着される配管５の外周側面に沿って所定の範囲で延出する保持片３３Ａとによって構成されると共に、前記配管保持バンド４は、前記保持片３３Ａに固定される固定部４１Ａと、該固定部４１Ａから前記配管の外周側面に沿って延出して、前記配管５を保持する配管保持部４３Ａとによって構成され、前記配管保持部４３Ａの先端は、前記固着片３２に接合するように外方に折り曲げられた接合部４４を有し、前記ロック手段は、前記固着片３２に移動可能に装着された保持輪６であり、前記固着片３２に前記接合部４４と装着した後に、前記保持輪６を移動させて、該保持輪６によって固着片３２及び接合部４４を一体に固定する。これによって、配管５は配管保持バンド４を介して吊りボルト２に簡単に且つ確実に固定することができるものである。
【００２７】
同様に前記噛合機構として、前記保持片３３Ａには噛合突部４５Ａが形成され、前記配管保持部４３Ａの先端に形成される接合部４４に至る部分４７には、前記噛合突部４５Ａが噛合する噛合穴４６が形成される。また、前記固着片３２には、前記接合部４４の先端を保持するために保持突起３４が形成される。これによって、接合部４４の先端を保持突起３４に当接させて固定すると同時に、前記噛合突部４５Ａを噛合穴４６に挿入することによって、配管保持バンド４の両端、いわゆる固着片３２と接合部４４とを仮止めすることができ、保持輪６による固定を容易に行うことができるものである。
【実施例３】
【００２８】
本願発明の実施例３に係る配管吊り具１Ｂは、例えば図５乃至図７に示すものである。この配管吊り具１Ｂにおいて、前記吊下部３Ｂは、スラブ２０に固定される吊りボルト２にナット２１Ｂを介して固定される固定片３１Ｂによって構成されると共に、前記配管保持バンド４Ｂは、前記固定片３１Ｂに固定される固定部４１Ｂと、該固定部４１Ｂから一方方向に所定の範囲で延出する一端部４２Ｂと、該固定部４１Ｂから一方方向に対向する他方方向に前記配管５の外周側面に沿って延出して、前記配管５を保持する他端部４３Ｂとによって構成される。また、前記一端部４２Ｂは、先端が折り曲げられて形成された装着段部４８Ｂを具備すると共に、前記他端部４３Ｂが、前記装着段部４８Ｂに噛合する噛合段部４９Ｂを具備し、前記ロック手段は、前記装着段部４８Ｂに移動可能に装着された保持輪６Ｂであり、前記噛合段部４９Ｂを装着段部４８Ｂに噛合させた後、前記保持輪６Ｂを移動させて前記一端部４２Ｂ及び前記他端部４３Ｂの先端、言い換えると装着段部４８Ｂと噛合段部４９Ｂを一体に固定させるものである。
【００２９】
また、前記噛合機構として、前記他端部４３Ｂの噛合段部４９Ｂには噛合ピン５０Ｂが形成され、前記装着段部４８Ｂには前記噛合ピン５０Ｂが貫通する貫通孔５１Ｂが形成され、前記保持輪６Ｂには、前記噛合ピン５０Ｂが噛合する装着凹部６１Ｂが形成されるものである。これによって、配管保持バンド４の装着段部４８Ｂと噛合段部４９Ｂとを、噛合ピン５０Ｂを貫通孔５１Ｂを貫通させるように装着して仮止めし、前記噛合ピン５０Ｂを保持輪６Ｂの装着凹部６１Ｂに嵌め込むように移動させ、前記装着段部４８Ｂと噛合段部４９Ｂとを一体に固定することができるものので、配管保持バンド４Ｂによって簡単且つしっかりと配管を固定できるものである。
【符号の説明】
【００３０】
１，１Ａ，１Ｂ  配管吊り具
２  吊りボルト
３，３Ａ，３Ｂ  吊下部
４  配管保持ベルト
５  配管
６  保持輪
２１，２１Ｂ  ナット
３１  固定片
３２  固着片
３３  保持片
３４  保持突起
４１  固定部
４２，４２Ｂ  一端部
４３、４３Ｂ  他端部
４３Ａ  配管保持部
４４  接合部
４５  噛合突部
４６  噛合穴
４８Ｂ  装着段部
４９Ｂ  噛合段部
５０Ｂ  噛合ピン
５１Ｂ  貫通孔
６１Ｂ  装着凹部    
【図１】
2014234892.tif 000003
【図２】
2014234892.tif 000004
【図３】
2014234892.tif 000005
【図４】
2014234892.tif 000006
【図５】
2014234892.tif 000007
【図６】
2014234892.tif 000008
【図７】
2014234892.tif 000009